(57)【特許請求の範囲】
【請求項１】
少なくとも１つの排出用口部および弱シール部により区画された複数の収容部からなる内容物を収容するための胴部を有する複室容器であって、
当該複室容器には誤用を防止するための保護部材が装着されており、
前記保護部材は前記排出用口部を覆う遮断部と、一方の脚部および他方の脚部からなる二股部材とからなり、
前記二股部材は一方の脚部および他方の脚部が末端側に向かって互いの距離が大きくなるように開放状に形成されていて、その一方の脚部と他方の脚部の接点である軸点に前記遮断部が連結部を介して一体に形成されているとともに、
前記二股部材には一方および他方の脚部の互いに対向する側へ突出した突起部が少なくとも１つ設けられており、
前記突起部が複室容器の胴部に設けた貫通孔に対して挿通されている
ことを特徴とする複室容器。
【請求項２】
前記二股部材は保護部材が装着された状態で排出用口部に対して左右対象に複数形成されている
ことを特徴とする請求項１記載の複室容器。
【請求項３】
前記突起部は一方の脚部および他方の脚部の双方に互いに対向する側へ突出して設けられている
ことを特徴とする請求項１記載の複室容器。
【請求項４】
前記貫通孔は長孔状に形成されており、
一方の脚部に設けた突起部と他方の脚部に設けた突起部が位置をずらして交差するように配置され、前記長孔状の貫通孔に対して挿通されている
ことを特徴とする請求項３記載の複室容器。
【請求項５】
少なくとも１つの排出用口部および弱シール部により区画された複数の収容部からなる内容物を収容するための胴部を有する複室容器の誤用防止用の保護部材であって、
排出用口部を覆う遮断部と、一方の脚部および他方の脚部からなる二股部材とからなり、
前記二股部材は一方の脚部および他方の脚部が末端側に向かって互いの距離が大きくなるように開放状に形成されていて、その一方の脚部と他方の脚部の接点である軸点に前記遮断部が連結部を介して一体に形成されているとともに、
前記二股部材には一方および他方の脚部の互いに対向する側へ突出して複室容器の胴部に設けた貫通孔に対して挿通される突起部が少なくとも１つ形成されている
ことを特徴とする保護部材。
【発明の詳細な説明】
【技術分野】
【０００１】
本発明は、医療用の複室容器およびこれに用いる誤用防止用の保護部材に関するものである。
【背景技術】
【０００２】
従来より医療用容器等として、複数の薬剤を使用時に混合させて用いるために各薬剤を弱シール部を介して容器内に分離して収納させた所謂複室容器が用いられてきた。複室容器に収納された薬剤は、患者に対して投与する前に一般に容器を押圧することにより弱シール部を剥離させて各室を連通し、収納された異なる種類の薬剤を混合して目的の薬剤として調整する必要があった。
【０００３】
このため薬剤を調整する工程を経ることなく患者に対して薬剤を投与するおそれがあり、この誤用を防止するため薬剤調整工程を経たことを確認するための手段および薬剤調整工程を経ることなく使用することを防止するための手段を設けることが要請されるようになってきている。
【０００４】
例えば、特開２００５−１８７０３０には、薬剤調整工程を確認するための被覆手段を設けて、被覆手段を押圧することにより薬剤調整が確実に行われるとともに被覆手段を剥離させることで容器の排出口が開放され使用することが可能となる構成のものが開示されている。また、特開２００５−３０５１３６には、薬剤調整工程を経ることなく使用することを防止するための開封防止部材を設けて、複室を連通されるため容器胴部を押圧することにより薬剤の調整と同時にその圧力を用いて開封防止部材を解除する構成のものが開示されている。
【特許文献１】特開２００５−１８７０３０公報
【特許文献２】特開２００５−３０５１３６公報
【発明の開示】
【発明が解決しようとする課題】
【０００５】
ところが、特開２００５−１８７０３０のものでは薬剤調整工程とは別に被覆手段を剥離する工程が必要となり、使用の際の作業工程が多くなり面倒なものとなる。また、特開２００５−３０５１３６のものでは係止具または連結部等の保持手段により挟持状態を保持させており、開封防止部材を薬剤調整工程により同時に解除するためには相当の圧力を加える必要があって、薬剤調整が完了したとしても開封防止部材が確実に解除されないおそれがある。
【０００６】
そこで本発明は、誤用防止用の保護部材および当該保護部材を有する複室容器であって、薬剤調整工程と同時に保護部材を解除することができ、薬剤調整工程の際の複室容器の胴部の押圧によって確実に保護部材を解除して使用できるようにする複室容器およびこれに用いる保護部材を提供することを目的とするものである。
【課題を解決するための手段】
【０００７】
上記目的を達成するため、本発明は請求項１ないし４に係る複室容器、およびこれらの複室容器に用いるための請求項５に係る保護部材を提供する。すなわち、請求項１に係る複室容器は、少なくとも１つの排出用口部および弱シール部により区画された複数の収容部からなる内容物を収容するための胴部を有する複室容器であって、当該複室容器には誤用を防止するための保護部材が装着されており、前記保護部材は前記排出用口部を覆う遮断部と、一方の脚部および他方の脚部からなる二股部材とからなり、前記二股部材は一方の脚部および他方の脚部が末端側に向かって互いの距離が大きくなるように開放状に形成されていて、その一方の脚部と他方の脚部の接点である軸点に前記遮断部が連結部を介して一体に形成されているとともに、前記二股部材には一方および他方の脚部の互いに対向する側へ突出した突起部が少なくとも１つ設けられており、前記突起部が複室容器の胴部に設けた貫通孔に対して挿通されていることを特徴とするものである。
【０００８】
請求項２に係る複室容器は、請求項１の複室容器において、前記二股部材は保護部材が装着された状態で排出用口部に対して左右対象に複数形成されていることを特徴とするものである。
【０００９】
請求項３に係る複室容器は、請求項１の複室容器において、前記突起部は一方の脚部および他方の脚部の双方に互いに対向する側へ突出して設けられていることを特徴とするものである。
【００１０】
請求項４に係る複室容器は、請求項３の複室容器において、前記貫通孔は長孔状に形成されており、一方の脚部に設けた突起部と他方の脚部に設けた突起部が位置をずらして交差するように配置され、前記長孔状の貫通孔に対して挿通されていることを特徴とするものである。
【００１１】
請求項５に係る保護部材は、少なくとも１つの排出用口部および弱シール部により区画された複数の収容部からなる内容物を収容するための胴部を有する複室容器の誤用防止用の保護部材であって、排出用口部を覆う遮断部と、一方の脚部および他方の脚部からなる二股部材とからなり、前記二股部材は一方の脚部および他方の脚部が末端側に向かって互いの距離が大きくなるように開放状に形成されていて、その一方の脚部と他方の脚部の接点である軸点に前記遮断部が連結部を介して一体に形成されているとともに、前記二股部材には一方および他方の脚部の互いに対向する側へ突出して複室容器の胴部に設けた貫通孔に対して挿通される突起部が少なくとも１つ形成されていることを特徴とするものである。
【発明の効果】
【００１２】
本発明によれば、複室容器の排出用口部を覆う遮断部と、遮断部と連結部を介して一体に形成された一方の脚部および他方の脚部からなる二股部材とからなり、二股部材には複室容器の胴部の薄膜状のシール部に設けた貫通孔に対して挿通される突起部を一方および他方の脚部の互いに対向する側へ突出して設けた保護部材を備えるので、薬剤調整工程の際の複室容器の胴部の押圧によって同時に保護部材を解除して使用でき、これにより薬剤を調整する工程を経ることなく患者に対して薬剤を投与する誤用を確実に防止することができる効果が得られる。
【発明を実施するための最良の形態】
【００１３】
図１は本発明に係る複室容器に用いる保護部材の全体斜視図、図２は同上側面図、図３（ａ）は同上裏面図、（ｂ）は同上正面図、図４は保護部材を複室容器に装着した態様を示す正面図、図５（ａ）は複室容器の断面図、（ｂ）は同じく側面図である。
【００１４】
１は複室容器であって、その胴部２は弱シール部４により２つ収容部５、６に区画されている。７はシール部であって胴部２の周囲および２つの収容部５、６を区画する弱シール部４の周辺部をシールしている。３は排出用口部であり、その排出用口部３の左右部には長孔状の貫通孔９、９が設けられている。また、８は吊下げ用孔である。
【００１５】
複室容器１には、誤用を防止するため保護部材１０が装着される。この保護部材１０は、排出用口部３を覆う遮断部１１と、この遮断部１１と連結部１８を介して一体に形成された一方の脚部１２および他方の脚部１３からなる二股部材１４からなっており、二股部材１４には一方の脚部１２および他方の脚部１３の互いに対向する側へ突出した突起部１５、１６がそれぞれ設けられている。この突起部１５、１６は、複室容器１の排出用口部３に遮断部１１を被せて保護部材１０を複室容器１に装着した際に、複室容器１の胴部２の上端のシール部７に設けられている貫通孔９、９に挿通されるものである。二股部材１４は、複室容器１に保護部材１０が装着された状態で排出用口部３に対して左右対象に複数形成されている。二股部材１４の一方の脚部１２および他方の脚部１３は末端側に向かって互いの距離が大きくなるように開放状に形成されており、一方の脚部１２と他方の脚部１３の接点である軸点１７、１７に応力が集中して少ない圧力で脚部が開くことができるようになっている。
【００１６】
さらに、保護部材１０は装着された排出用口部３が輸送中に動くことにより不用意に解除されないよう円盤状の遮断部１１の外周縁に固定板１９が設けられている。また、一方の脚部１２および他方の脚部１３の前記突起部１５、１６は、一方の脚部１２および他方の脚部１３の双方に互いに対向する側へ突出して設けられており、しかも一方の脚部１２に設けた突起部１５と他方の脚部１３に設けた突起部１６は位置をずらして交差するように配置され、長孔状に形成された前記貫通孔９、９に挿通されるので、前記長孔状の貫通孔９、９に対して挿通された突起部１５、１６は一方の脚部１２および他方の脚部１３が互いの距離が大きくなる方向に押し広げられように変形しない限り貫通孔９、９から不用意に抜けることがない。
【００１７】
複室容器１の収容部５、６には異なる薬剤が収納され、複室容器１の収容部５、６にそれぞれ収納された薬剤は、患者に対して投与する前に一般に複室容器１を押圧することにより弱シール部４を剥離させて各室を連通し、収納された異なる種類の薬剤を混合して目的の薬剤として調整する。
【００１８】
このため、薬剤を調整する工程を経ることなく患者に対して薬剤を投与する誤用を防止する必要があるが、本発明によれば、複室容器１に誤用を防止するため保護部材１０が装着されるので、収納された異なる種類の薬剤を混合して目的の薬剤として調整する工程により同時に複室容器１から保護部材１０を取り外すこととなり、誤用が確実に防止できる。
【００１９】
複室容器１から保護部材１０を取り外すには、複室容器１の一般的な薬剤調整工程のみを行えばよい。つまり、複室容器１の胴部２を弱シール部４が剥離する程度に押圧する。この際、収容部５、６の容積は減少し容器の内圧が高まり扁平状の胴部２が膨らみ、それに伴って二股部材１４の一方の脚部１２および他方の脚部１３は軸点１７、１７を軸心として互いに離反するように押し広げられ、突起１５、１６は貫通孔９、９から外れ、同時に押し広げられた二股部材１４の弾性力によって保護部材１０自体が前方へ滑るように押出される。これにより保護部材１０を排出用口部３から容易に抜き取ることができる。一方の脚部１２および他方の脚部１３は細長く、互いに傾斜角をもって形成されているため、テコの作用により薬剤の調整工程時の圧力によって確実に保護部材１０を複室容器１から解除することができる。
【図面の簡単な説明】
【００２０】
【図１】本発明に係る複室容器に用いる保護部材の全体斜視図である。
【図２】同上側面図である。
【図３】（ａ）は同上裏面図、（ｂ）は同上正面図である。
【図４】保護部材を複室容器に装着した態様を示す正面図である。
【図５】（ａ）は複室容器の正面図、（ｂ）は同じく側面図である。
【符号の説明】
【００２１】
１  複室容器
２  胴部
３  排出用口部
４  弱シール部
５、６  収容部
７  シール部
８  吊り下げ用孔
９、９  貫通孔
１０  保護部材
１１  遮断部
１２  一方の脚部
１３  他方の脚部
１４  二股部材
１５、１６  突起部
１７、１７  軸点
１８  連結部
１９  固定板
【図１】
0004764258.tif 000002
【図２】
0004764258.tif 000003
【図３】
0004764258.tif 000004
【図４】
0004764258.tif 000005
【図５】
0004764258.tif 000006